(57)【要約】【課題】電話回線にリンギング信号が発生したときの音声通信帯域以外の帯域での回線への影響を抑制して、リンクの切断を回避するようにしたモデム装置およびリンク切断抑制方法を得ること。【解決手段】モデム装置に図示しない交換機から呼び出しのためのリンギング信号１１１が到来すると（同図（ａ））、時間Ｔ４だけ遅延したエラー検出信号１４２が得られ（同図（ｃ））、リンクダウンの制御のためのエラー検出アラーム信号１１４（同図（ｄ））が作成される。これを、全区間で覆うエラー検出アラームマスク信号１４６（同図(ｆ））でマスクすることで、リンギング信号１１１に起因するリンクダウンを防止する。【選択図】図３
2006148278.tif 000002
【特許請求の範囲】
【請求項１】
電話回線を介して送られてくるノイズに応じたエラー検出アラーム信号を発生させるエラー検出アラーム信号発生手段と、
このエラー検出アラーム信号発生手段によって発生されたエラー検出アラーム信号の発生状況に応じて音声通信帯域以外の周波数帯域の接続中のリンクを切断するリンク切断手段と、
前記電話回線を介して送られてくる呼出信号としてのリンギング信号を検出するリンギング信号検出手段と、
このリンギング信号検出手段の検出したリンギング信号の発生している全区間を含む所定の期間だけマスク信号を形成するマスク信号形成手段と、
このマスク信号形成手段によって形成されたマスク信号によって前記リンギング信号を基に前記エラー検出アラーム信号発生手段が発生させた前記エラー検出アラーム信号を前記リンク切断手段に対してマスクするマスク手段
とを具備することを特徴とするモデム装置。
【請求項２】
前記リンギング信号検出手段は、ＶｏＩＰ機能を実現するＰＳＴＮインタフェースであることを特徴とする請求項１記載のモデム装置。
【請求項３】
前記リンギング信号検出手段は、所定の周期でオン・オフを繰り返す呼出信号を検出するリング検出手段であることを特徴とする請求項１記載のモデム装置。
【請求項４】
前記音声通信帯域以外の周波数帯域の接続中のリンクとは、ｘＤＳＬ回線のリンクであることを特徴とする請求項１記載のモデム装置。
【請求項５】
前記ｘＤＳＬ回線は、ＡＤＳＬ回線であることを特徴とする請求項４記載のモデム装置。
【請求項６】
電話回線からそれぞれ長さの定まったオンおよびオフの区間が有限の時間に渡って周期的に繰り返されるリンギング信号が送られてきたとき、それぞれの区間を有限の遅延時間だけ遅延させたエラー検出信号を発生させるエラー検出信号発生手段と、
このエラー検出信号発生手段によるエラー検出信号を入力して、最初のオンとなる信号で立ち上がると共に、前記オンの区間からオフの区間になるごとにオフの区間よりも長い区間だけオンの区間を延長することで前記リンギング信号の存在する区間でオン状態が連続したエラー検出アラーム信号を発生させるエラー検出アラーム信号発生手段と、
前記リンギング信号の立ち上がりで開始し前記有限の時間で終了した時点で前記エラー検出アラーム信号発生手段における前記延長以上の時間幅で延長して終了するエラー検出アラームマスク信号を発生させるエラー検出アラームマスク信号発生手段と、
このエラー検出アラームマスク信号発生手段で発生させたエラー検出アラームマスク信号で前記エラー検出アラーム信号をマスクした後の信号の発生状況に応じて音声通信帯域以外の周波数帯域の接続中のリンクを切断するリンク切断手段
とを具備することを特徴とするモデム装置。
【請求項７】
電話回線からそれぞれ長さの定まったオンおよびオフの区間が有限の時間に渡って周期的に繰り返されるリンギング信号が送られてきたとき、それぞれの区間を有限の遅延時間だけ遅延させたエラー検出信号を発生させるエラー検出信号発生ステップと、
このエラー検出信号発生ステップでエラー検出信号を入力して、最初のオンとなる信号で立ち上がると共に、前記オンの区間からオフの区間になるごとにオフの区間よりも長い区間だけオンの区間を延長することで前記リンギング信号の存在する区間でオン状態が連続したエラー検出アラーム信号を発生させるエラー検出アラーム信号発生ステップと、
前記リンギング信号の立ち上がりで開始し前記有限の時間で終了した時点で前記エラー検出アラーム信号発生手段における前記延長以上の時間幅で延長して終了するエラー検出アラームマスク信号を発生させるエラー検出アラームマスク信号発生ステップと、
このエラー検出アラームマスク信号発生ステップで発生させたエラー検出アラームマスク信号で前記エラー検出アラーム信号をマスクした後の信号の発生状況に応じて音声通信帯域以外の周波数帯域の接続中のリンクを切断するリンク切断ステップ
とを具備することを特徴とするリンク切断抑制方法。
【発明の詳細な説明】
【技術分野】
【０００１】
本発明は、電話回線に発生したリンギングノイズがデジタル加入者回線に及ぼす影響を抑制するためのリンギングノイズの抑制を行ったモデム装置およびリンク切断抑制方法に関する。
【背景技術】
【０００２】
既存の電話回線を使用して高速通信を実現することのできるＡＤＳＬ（Asymmetric Digital Subscriber Line）技術が広く使用されている。ところが、このＡＤＳＬ技術では、電話回線上にリンギング信号が発生すると、ＡＤＳＬ回線上にこれに伴ってノイズが発生するという問題がある。このＡＤＳＬ回線上に発生するノイズは、時としてＡＤＳＬによるリンクを切断するという問題が発生する。
【０００３】
図７は、リンギング信号が比較的軽微な場合のＡＤＳＬ回線上のノイズの発生状況の一例を示したものである。この図で縦軸はＡＤＳＬ回線上でのエラーの発生数を示すエラーカウンタのカウント値を示しており、横軸は時間（秒）の経過を示している。この図に示すように、リンギング信号が比較的軽微な場合には、ＡＤＳＬ回線上でのエラーが時間間隔を置いて、それぞれ比較的少ない頻度で発生する。この程度のエラー発生状況の場合、ＡＤＳＬ回線側ではこれらのノイズをエラー訂正機能によって除去することができる。したがって、ＡＤＳＬ回線のリンクの切断を誘発することはない。
【０００４】
図８および図９は、リンギング信号によってＡＤＳＬ回線のリンクの切断を誘発するおそれのあるＡＤＳＬ回線上のノイズの発生状況の例を示したものである。図８の場合には、ノイズが高頻度に、かつそれぞれの継続時間が図７の場合と比較して、より長く発生している。図９の場合には単発的ではあるがノイズが更に長い時間継続して発生している。このようなノイズは、ＡＤＳＬ回線側のエラー訂正機能でエラーの除去あるいは抑制が不可能な場合が多く、ＡＤＳＬ回線のリンクの切断を誘発することになる。
【０００５】
この図８あるいは図９に示したようなノイズは、交換機の設置された施設（以下、局舎という。）からそれぞれの加入者宅までの距離や、アナログ端末の種類によって誘発する度合いが異なる。このようなエラーは修復できない場合が多く、回線接続時のＳＮＲ（信号対雑音比）を確保できない場合がある。このような場合には、ＡＤＳＬ回線のリンクを切断（リンクダウン）して、ＡＤＳＬモデムの再トレーニングを行う必要があるという問題があった。
【０００６】
図１０は、図９に対応させたもので、リンギング信号が立ち下がらない状態でトレーニングを行った場合の信号変化の状況を表わしたものである。図９に示すリンギング信号によってＡＤＳＬ回線上でエラーが発生しＡＤＳＬ回線のリンクダウンが発生し、このリンギング信号がまだ終了しない間に再度、トレーニングが開始した場合を示している。このようにリンギング信号がまだ存在している状態では、ノイズ環境下のＳＮＲが悪い状況でトレーニングが行われることになる。したがって、所定のＳＮＲを確保しようとすると、回線速度を段階的に低下させる制御が行われる。この結果として、著しく低い回線速度でリンクが形成されてしまうという問題が発生した。
【０００７】
図１１は、リンギング信号によってリンクダウンが生じる場合を説明するためのものである。このうち同図（ａ）は、交換局から電話回線を通じて送られてくるリンギング信号を表わしたものである。リンギング信号４０１は、図示しない交換機から呼び出しの際に出力され、時間Ｔ1の間、オンとなり、続く時間Ｔ2の間、オフとなる信号である。時間Ｔ1は１秒であり、時間Ｔ2は２秒である。
【０００８】
同図（ｂ）は、このようなリンギング信号がＡＤＳＬモデムに送られてきた場合のＡＤＳＬ回線上に現われるエラーを模式的に表わしたものである。リンギング信号４０１における時間Ｔ1の間のオン時間の開始時点と終了時点のそれぞれでエラー４０２が発生する。
【０００９】
同図（ｃ）は、従来のＡＤＳＬモデムの処理の様子を表わしたものである。リンギング信号４０１が時刻ｔ11から出力されたものとすると、このときエラー検出信号４０３が出力され、これから２．５秒の保護期間経過後にエラー検出アラーム信号４０４がオンとなる処理が行われる。
【００１０】
ところでＡＤＳＬモデムは、すでに説明したように誤り訂正機能を有している。この誤り訂正機能はモデム内部の図示しないＤＳＰ（Digital Signal Processor）で処理される。この結果として誤り訂正が行われなかった場合にエラー検出アラーム信号４０４が出力される。エラー検出アラーム信号４０４に応じて、ＡＤＳＬモデムはリンクダウン処理を行う。エラー検出アラーム信号４０４は、同図（ｂ）によるＡＤＳＬ回線上のエラーが１０秒間検出されない状態になると、オフとなる信号である。
【００１１】
リンギング信号は、ＡＤＳＬ回線上ではノイズの一種であるが、一般に長時間発生するものではない。また、軽微なリンギング信号はＡＤＳＬ回線側のエラー訂正機能でエラーの除去が可能である。しかしながら、エラー４０２の検出レベルが大きいような場合には、エラー検出アラーム信号４０４が立ち上がった時刻ｔ12あるいはその直後に、ＡＤＳＬ通信のリンクが切断されるＡＤＳＬリンクダウンが発生する可能性がある。したがって、実際にはリンクダウンを生じさせるリンギング信号の発生する確率が非常に低いにも係らず、このようなリンギング信号によってリンクダウンが誘発されたり、その後のトレーニングによって回線速度が大幅に低下してしまうことは、ＡＤＳＬシステムにとって深刻な問題となる。
【００１２】
そこで、電話がオフフックになったときにリンギング信号の有無および電話がオンフックであるかオフフックであるかどうかの検出を行い、ＡＤＳＬ接続に対し異なった数のビットマップを割り当てることで、同期を失うリスクを軽減し、ＡＤＳＬ接続を確保することが提案されている（たとえば特許文献１参照）。
【特許文献１】特表２００２−５１５６９６号公報（第００１４、第００１５段落、図１）
【発明の開示】
【発明が解決しようとする課題】
【００１３】
しかしながら、この提案によると、ビットマップの切り替えを行うためにＡＴＵ−Ｃ（ADSL Transceiver Unit - Central office end）側にも同様の機能の回路装置を具備させる必要がある。これを仮にＡＤＳモデムだけで実現しようとすると、ＡＤＳＬリンクを切断する必要がある。更に、ビットマップの切り替えを行うということは、ＳＮＲを確保する必要からリンギング信号継続中のＡＤＳＬ回線速度を低速側に制御することを意味する。したがって、この提案は、トレーニングによって回線速度が大幅に低下するという問題を解決するには至っていない。
【００１４】
以上、ＡＤＳＬモデムについてリンギング信号の影響について説明したが、一般にｘＤＳＬ（x Digital Subscriber Line）に関するモデムについても、リンギング信号に関して同様の問題があった。
【００１５】
そこで本発明の目的は、電話回線にリンギング信号が発生したときの音声通信帯域以外の帯域での回線への影響を抑制して、リンクの切断を回避するようにしたモデム装置およびリンク切断抑制方法を提供することにある。
【課題を解決するための手段】
【００１６】
請求項１記載の発明では、（イ）電話回線を介して送られてくるノイズに応じたエラー検出アラーム信号を発生させるエラー検出アラーム信号発生手段と、（ロ）このエラー検出アラーム信号発生手段によって発生されたエラー検出アラーム信号の発生状況に応じて音声通信帯域以外の周波数帯域の接続中のリンクを切断するリンク切断手段と、（ハ）電話回線を介して送られてくる呼出信号としてのリンギング信号を検出するリンギング信号検出手段と、（ニ）このリンギング信号検出手段の検出したリンギング信号の発生している全区間を含む所定の期間だけマスク信号を形成するマスク信号形成手段と、（ホ）このマスク信号形成手段によって形成されたマスク信号によってリンギング信号を基にエラー検出アラーム信号発生手段が発生させたエラー検出アラーム信号をリンク切断手段に対してマスクするマスク手段とをモデム装置に具備させる。
【００１７】
すなわち請求項１記載の発明では、エラー検出アラーム信号の発生状況に応じて音声通信帯域以外の周波数帯域の接続中のリンクを切断するようにしたモデム装置で、リンギング信号をノイズとして検出したときには、このリンギング信号の発生している全区間をマスクするマスク信号を作成することで、リンギング信号を原因とするエラー検出アラーム信号をリンク切断手段に対してマスクすることにし、有限な時間帯で発生するリンギング信号によってリンクが切断されないようにした。これにより、再トレーニングで回線速度が大幅に低下するというリスクも解消することができる。
【００１８】
請求項６記載の発明では、（イ）電話回線からそれぞれ長さの定まったオンおよびオフの区間が有限の時間に渡って周期的に繰り返されるリンギング信号が送られてきたとき、それぞれの区間を有限の遅延時間だけ遅延させたエラー検出信号を発生させるエラー検出信号発生手段と、（ロ）このエラー検出信号発生手段によるエラー検出信号を入力して、最初のオンとなる信号で立ち上がると共に、オンの区間からオフの区間になるごとにオフの区間よりも長い区間だけオンの区間を延長することでリンギング信号の存在する区間でオン状態が連続したエラー検出アラーム信号を発生させるエラー検出アラーム信号発生手段と、（ハ）リンギング信号の立ち上がりで開始し前記した有限の時間で終了した時点でエラー検出アラーム信号発生手段における延長以上の時間幅で延長して終了するエラー検出アラームマスク信号を発生させるエラー検出アラームマスク信号発生手段と、（ニ）このエラー検出アラームマスク信号発生手段で発生させたエラー検出アラームマスク信号でエラー検出アラーム信号をマスクした後の信号の発生状況に応じて音声通信帯域以外の周波数帯域の接続中のリンクを切断するリンク切断手段とをモデム装置に具備させる。
【００１９】
すなわち請求項６記載の発明では、電話回線からリンギング信号が送られてきたときには、この始端を遅延させると共に、オン・オフの区間を連続したエラー検出アラーム信号を作成する一方、電話回線から送られてくるリンギング信号の始端を遅延させず、後端についてもエラー検出アラーム信号の後端よりも時間的に延長した後端を有するエラー検出アラームマスク信号を作成することにしている。これにより、このエラー検出アラームマスク信号で、リンギング信号をノイズとする場合のエラー検出アラーム信号を完全にマスクすることで、リンク切断手段による音声通信帯域以外の周波数帯域の接続中のリンクの切断を防止している。これにより、再トレーニングで回線速度が大幅に低下するというリスクも解消することができる。
【００２０】
請求項７記載の発明では、（イ）電話回線からそれぞれ長さの定まったオンおよびオフの区間が有限の時間に渡って周期的に繰り返されるリンギング信号が送られてきたとき、それぞれの区間を有限の遅延時間だけ遅延させたエラー検出信号を発生させるエラー検出信号発生ステップと、（ロ）このエラー検出信号発生ステップでエラー検出信号を入力して、最初のオンとなる信号で立ち上がると共に、オンの区間からオフの区間になるごとにオフの区間よりも長い区間だけオンの区間を延長することでリンギング信号の存在する区間でオン状態が連続したエラー検出アラーム信号を発生させるエラー検出アラーム信号発生ステップと、（ハ）リンギング信号の立ち上がりで開始し前記した有限の時間で終了した時点でエラー検出アラーム信号発生手段における延長以上の時間幅で延長して終了するエラー検出アラームマスク信号を発生させるエラー検出アラームマスク信号発生ステップと、（ニ）このエラー検出アラームマスク信号発生ステップで発生させたエラー検出アラームマスク信号でエラー検出アラーム信号をマスクした後の信号の発生状況に応じて音声通信帯域以外の周波数帯域の接続中のリンクを切断するリンク切断ステップとをリンク切断抑制方法に具備させる。
【００２１】
すなわち請求項７記載の発明では、電話回線からリンギング信号が送られてきたときには、この始端を遅延させると共に、オン・オフの区間を連続したエラー検出アラーム信号を作成する一方、電話回線から送られてくるリンギング信号の始端を遅延させず、後端についてもエラー検出アラーム信号の後端よりも時間的に延長した後端を有するエラー検出アラームマスク信号を作成することにしている。これにより、このエラー検出アラームマスク信号で、リンギング信号をノイズとする場合のエラー検出アラーム信号を完全にマスクすることで、リンク切断ステップで音声通信帯域以外の周波数帯域の接続中のリンクの切断の発生を防止している。これにより、再トレーニングで回線速度が大幅に低下するというリスクも解消することができる。
【発明の効果】
【００２２】
以上説明したように本発明によれば、リンギング信号が検出されたときに、リンクの切断を行う基となるエラー検出アラーム信号自体を完全にマスクしてその出力を行わないようにしたので、リンギング信号によってＡＤＳＬモデム等のモデムが音声通信帯域以外の帯域での接続中のリンクを切断することを防止することができる。したがって、モデムの再トレーニングを行う必要もなく、この再トレーニングによって回線速度が大幅に低下するといった不都合を回避することができる。
【発明を実施するための最良の形態】
【００２３】
以下実施例につき本発明を詳細に説明する。
【実施例１】
【００２４】
図１は、本発明の一実施例におけるＡＤＳＬ端末装置と局舎の間を結んだＡＤＳＬ通信システムの概要を表わしたものである。局舎（ＣＯ）１０１内には、局舎側のＡＤＳＬモデムとしてのＡＴＵ−Ｃ１０２と、ＰＳＴＮ（Public Switched Telephone Network）交換機１０３が配置されており、周波数帯域を両者の間で分離する局舎側スプリッタ１０４の分離側にそれぞれ接続されている。この局舎側スプリッタ１０４の回線接続側と加入者宅（ＨＯＭＥ）１０５内の加入者宅側スプリッタ１０６の回線接続側との間には、通常の電話回線(銅線)１０７が接続されている。加入者宅１０５内には、加入者宅側スプリッタ１０６の分離側に、加入者宅側のＡＤＳＬモデムとしてのＡＴＵ−Ｒ（ADSL Transceiver Unit - Remote terminal end）１０８と電話機等のアナログ端末１０９が配置されている。
【００２５】
今、ＰＳＴＮ交換機１０３が呼び出しのためのリンギング信号１１１を出力したとする。このリンギング信号１１１は、ＰＳＴＮ交換機１０３から局舎側スプリッタ１０４を介して電話回線１０７を伝送されて、加入者宅側スプリッタ１０６からアナログ端末１０９側に分離されて送出される。加入者宅側スプリッタ１０６は、局舎側スプリッタ１０４と同様に、送られてきた信号の周波数によってリンギング信号１１１をアナログ端末１０９側に分離する。したがって、リンギング信号１１１が直接的にＡＴＵ−Ｒ１０８側に印加されることはない。しかしながら、リンギング信号１１１は、たとえば７５Ｖｒｍｓという大きな電圧を発生させるため、ノイズ１１２が誘起されることになる。
【００２６】
図２は、このＡＤＳＬ通信システムの加入者宅側の装置構成を表わしたものであり、ＡＴＵ−Ｒを具体的に表わしている。ＡＴＵ−Ｒ１０８は、ＡＤＳＬモデムの動作制御を行う制御部１２１を備えている。制御部１２１は、図示しないＣＰＵ（中央処理装置）を備えており、アドレス・データバス１２２を介してモデム内の各部と接続されている。このうち、フラッシュメモリ１２３は、このＡＴＵ−Ｒ１０８の各部の動作のためのプログラムを格納している。メモリ１２４は、制御部１２１がフラッシュメモリ１２３に格納されたプログラムを展開したり、各種のデータを一時的に格納するための作業用メモリである。
【００２７】
アドレス・データバス１２２には、加入者宅側スプリッタ１０６における分離側に一端を接続されたＡＤＳＬアナログ終端部１２５と接続するＡＤＳＬデジタル処理部１２６と、同じく加入者宅側スプリッタ１０６における分離側に一端を接続されたＰＳＴＮインタフェース１２７およびＰＳＴＮ／ＶｏＩＰ切替部１２８も接続されている。ここで、ＡＤＳＬアナログ終端部１２５は、アナログ信号をデジタル信号に変換するＡ／Ｄ変換器と、この逆にデジタル信号をアナログ信号に変換するＤ／Ａ変換器と、ローパスおよびハイパスフィルタで構成されている。ＡＤＳＬデジタル処理部１２６は、デジタル信号の逆フーリエ変換およびフーリエ変換等を行うようになっている。ＰＳＴＮインタフェース１２７は、電話回線１０７から送られてくるリンギング信号の検出や、ダイアルパルス（ＤＰ）の送出等の処理を行う。ＰＳＴＮ／ＶｏＩＰ切替部１２８は、アナログ端末１０９の接続をＰＳＴＮ側すなわち公衆電話交換網側にするか、ＶｏＩＰ（Voice over Internet Protocol）すなわちインターネット上の音声通話としてのインターネット電話にするかの切り替えを行う。すなわち、本実施例のＰＳＴＮインタフェース１２７は、ＶｏＩＰ機能を実現するためにリンギング信号を検出するインタフェースとなっている。
【００２８】
アドレス・データバス１２２には、アナログ端末１０９およびＰＳＴＮ／ＶＯＩＰ切替部１２８と接続されたアナログ端末インタフェース処理部１３１を介して接続された音声符号化処理部１３２と、デジタル端末インタフェースとして機能するデジタル端末インタフェース処理部１３３と、無線インタフェースとして機能する無線インタフェース処理部１３４も接続されている。ここで、アナログ端末インタフェース処理部１３１は、ＶｏＩＰ通信時にアナログ端末１０９を終端する。音声符号化処理部１３２は、音声信号の符号化と復号化を行うようになっている。デジタル端末インタフェース処理部１３３は、図示しないパーソナルコンピュータ等のデジタル端末をこのＡＴＵ−Ｒ１０８に接続する際の通信制御を行う。このように本実施例のＡＴＵ−Ｒ１０８は、ＶｏＩＰ対応のＡＤＳＬモデムとなっている。
【００２９】
ところで図１に示すＰＳＴＮ交換機１０３から呼び出しのために出力されるリンギング信号１１１は、局舎側スプリッタ１０４を経て電話回線１０７に送出され、加入者宅１０５内の加入者宅側スプリッタ１０６でアナログ端末１０９側に分離される。したがって、ＡＴＵ−Ｒ１０８のデジタル信号を処理する回路部分にこのリンギング信号１１１が印加されることはない。
【００３０】
図３は、リンギング信号およびその処理の様子を示したものである。同図（ａ）に示すようにリンギング信号１１１は、図１に示すＰＳＴＮ交換機１０３から呼び出しの際に出力され、時間Ｔ1の間、オンとなり、続く時間Ｔ2の間、オフとなる信号である。本実施例の場合、時間Ｔ1は１秒であり、時間Ｔ2は２秒である。すなわち、リンギング信号１１１は、１秒間オンで２秒間オフとなる信号が呼出信号として所定回数だけ周期的に繰り返す信号である。このリンギング信号１１１は、たとえば７５Ｖｒｍｓ（root mean square value：実効値）というような大きな電圧変化でパルス状に現われる。したがって、電話回線１０７上におけるインピーダンス変化の影響がインパルス的なノイズとなって加入者宅側スプリッタ１０６を通過し、ＡＤＳＬ回線上に図３（ｂ）に示すようなエラー１４１を発生させる。
【００３１】
図２に示したＡＤＳＬデジタル処理部１２６は、最初のエラー１４１の開始を時刻ｔ1に検出すると、Ｔ4で示す保護期間が経過した時点で、エラー検出信号１４２（図３（ｃ））をアドレス・データバス１２２に出力する。ここで保護期間Ｔ4は、本実施例でそれぞれ２．５秒に設定されている。エラー検出信号１４２は、それぞれ、制御部１２１に送られる。
【００３２】
制御部１２１では、最初のエラー検出信号１４２を入力すると、その立ち上がりで図３（ｄ）に示すエラー検出アラーム信号１４４をＬレベルからＨレベルに立ち上げる。このエラー検出アラーム信号１４４は、図３（ａ）に示す時間Ｔ1のオン期間が終了する時刻から時間Ｔ5を経過するまで、次のエラー検出信号１４２が現われないときにＬ（ロー）レベルに立ち下がる。時間Ｔ5は１０秒に設定されている。次のエラー検出信号１４２がこの時間Ｔ5以内に現われれば、順次、そのＨレベルに保持される期間が延長される。したがって、図３（ａ）に示すようにリンギング信号１１１が時間Ｔ2のオフとなる区間を挟んで繰り返しオンとなっている間は、エラー検出アラーム信号１４４がＨレベルのまま延長されることになる。
【００３３】
図３に示した例では、時間Ｔ1と時間Ｔ2を加算した周期（３秒）で、オン・オフが繰り返されるリンギング信号１１１が発生している。リンギング信号１１１が発生すると、このオン・オフに同期するような形で、エラー検出信号１４２（同図（ｃ））が繰り返し発生する。したがって、たとえばリンギング信号１１１の発生時刻である時刻ｔ1から時間Ｔ4が経過した後の時刻ｔ2を起点としてエラー検出アラーム信号１４４がＨレベルに立ち上がったとすると、このエラー検出アラーム信号１４４がＬレベルに低下する前の時刻ｔ3に次のエラー検出信号１４２がＨレベルに変化する。この結果として、エラー検出アラーム信号１４４のＨレベルを保持する期間が延長されてしまう。以下、同様である。したがって、図３に示した例では、同図（ａ）に示すリンギング信号１１１における最後の時間Ｔ1で発生するノイズがオンからオフになる時刻ｔ5を起点として、時間Ｔ5だけ経過した時刻ｔ6まで、エラー検出アラーム信号１４４がＨレベルに保持されることになる。
【００３４】
この一方で、図２に示したＰＳＴＮインタフェース１２７は、リンギング信号１１１の発生時刻である時刻ｔ1にリンギング信号の検出を行うと、Ｈ（ハイ）レベルとなるリンギング検出信号１４５（図３(ｅ））をアドレス・データバス１２２を介して制御部１２１に供給する。制御部１２１は、リンギング検出信号１４５の検出時点からＨレベルとなり、このリンギング検出信号１４５がＬレベルに変化した時刻ｔ4から時間Ｔ6の間、Ｈレベルを継続するエラー検出アラームマスク信号１４６を作成する。そして、このエラー検出アラームマスク信号１４６でエラー検出アラーム信号１４４をマスクする。
【００３５】
ここで時間Ｔ6は、時間Ｔ5が１０秒であるのに対して、１０秒に時間Ｔ4を加えた時間以上に設定されている。したがって、このエラー検出アラームマスク信号１４６は同図（ｄ）に示すエラー検出アラーム信号１４４のオンとなる時刻ｔ2よりも早い時刻ｔ1にオンとなり、オフとなる時刻ｔ6よりも遅い時刻ｔ7にオフとなる。これにより、エラー検出アラーム信号１４４はエラー検出アラームマスク信号１４６によって完全にマスクされることになる。
【００３６】
このようにエラー検出アラームマスク信号１４６によってエラー検出アラーム信号１４４が完全にマスクされる結果として、エラー検出アラーム信号１４４を基にしたリンクダウンの処理がマスクされる。したがって、リンギング信号１１１の発生によるリンクダウンが完全に防止されることになる。
【００３７】
図４は、このような制御部の制御の様子を表わしたものである。図２に示した制御部１２１内の前記したＣＰＵは、エラー検出信号１４２（図３（ｃ））の立ち上がり（ステップＳ２０１）と、このエラー検出信号１４２の立ち下がり（ステップＳ２０２）と、リンギング検出信号１４５（図３(ｅ））の立ち上がり（ステップＳ２０３）と、このリンギング検出信号１４５の立ち下がり（ステップＳ２０４）をそれぞれ監視している。
【００３８】
エラー検出信号１４２の立ち上がりが検出されると（ステップＳ２０１：Ｙ）、エラー検出アラーム信号１４４（図３（ｄ））が現在存在しているかどうかのチェックが行われる（ステップＳ２０５）。存在していない場合には（Ｎ）、エラー検出信号１４２のこの立ち上がり時点でエラー検出アラーム信号１４４を立ち上げる（ステップＳ２０６）。
【００３９】
一方、エラー検出信号１４２の立ち下がりが検出された場合には（ステップＳ２０２：Ｙ）、このときエラー検出アラーム信号１４４が存在しているので、この時点からエラー検出アラーム信号１４４を時間Ｔ5だけ延長する（ステップＳ２０７）。
【００４０】
リンギング検出信号１４５の立ち上がりが検出された場合には（ステップＳ２０３：Ｙ）、エラー検出アラームマスク信号１４６（図３(ｆ））を立ち上げる（ステップＳ２０８）。リンギング検出信号１４５の立ち下がりが検出された場合には（ステップＳ２０４：Ｙ）、エラー検出アラームマスク信号１４６をこの時点から時間Ｔ6だけ延長することになる（ステップＳ２０９）。
【００４１】
以上説明したように制御部１２１は、エラー検出アラームマスク信号１４６（図３(ｆ））によってエラー検出アラーム信号１４４（図３（ｄ））を完全にマスクするので、リンギングノイズによるＡＤＳＬ回線のリンクダウンを誘発させない。また、電話回線１０７からリンギング信号が送られてきている期間にリンクダウンを原因とするトレーニングを行うことがないので、トレーニングの結果として、著しく低い回線速度でリンクアップするという事態を防止することができる。
【００４２】
＜本発明の変形例＞
【００４３】
図５は、本発明の変形例におけるＡＤＳＬ端末装置の構成を表わしたものである。この第１の変形例のＡＴＵ−Ｒ１０８Ａは、先の実施例のＡＴＵ−Ｒ１０８（図２）と異なりＰＳＴＮインタフェース１２７を備えていない。このためリンギング信号を検出するリング（Ring）検出部３０１を加入者宅側スプリッタ１０６とアドレス・データバス１２２の間に配置している。
【００４４】
図６は、ＰＳＴＮインタフェースを備えず図５のような工夫を行っていないＡＤＳＬ端末装置の構成を参考として表わしたものである。これら図５および図６で、先の実施例の図２と同一部分には同一の符号を付しており、これらの説明を適宜省略する。また、図５で図２に示した実施例のＡＴＵ−Ｒ１０８と異なった回路部分には、符号Ａを付しており、図６で図２に示した実施例のＡＴＵ−Ｒ１０８と異なった回路部分には、符号Ｂを付している。
【００４５】
図５に示した変形例のＡＤＳＬ端末装置では、ＡＴＵ−Ｒ１０８Ａのリング検出部３０１がリンギング信号の立ち上がりおよび立ち下がりを検出する。そして、リンギング信号の立ち上がりおよび立ち下がりを検出したときには、アドレス・データバス１２２を介して制御部１２１Ａにこれを通知する。制御部１２１Ａは、フラッシュメモリ１２３Ａに格納されたプログラムを用いて各部の制御を行っている。この制御部１２１Ａがリンギング信号の立ち上がりを検出した時点で、実施例で説明したエラー検出アラームマスク信号１４６をＨレベルに立ち上げる。また、リンギング信号の立ち下がりを検出した時点から時間Ｔ6の間だけエラー検出アラームマスク信号１４６のＨレベル状態を継続させる。
【００４６】
このようなエラー検出アラームマスク信号１４６が制御部１２１で作成されるため、図３で説明したようにエラー検出信号１４２（同図（ｃ））を基にして作成されたエラー検出アラーム信号１４４（同図（ｄ））を完全にマスクすることができる。このため、この変形例でも、リンギング信号によるＡＤＳＬ回線のリンクダウンを誘発させることがない。また、電話回線１０７からリンギング信号が送られてきている期間にリンクダウンを原因とするトレーニングを行うことがないので、トレーニングの結果として、著しく低い回線速度でリンクアップするという事態を防止することができる。
【００４７】
なお、実施例ではフラッシュメモリ１２３に制御用のプログラムを格納したが、他の記憶媒体にこれらのプログラムを格納するようにしてもよい。また、実施例ではエラー検出信号が発生してからエラー検出アラームが出力されるまでの２．５秒の保護期間をマスク処理の際の遅延時間として利用したが、他の時間幅で遅延時間の設定を行うようにしてもよい。
【００４８】
また、実施例では、図３でエラー検出アラーム信号１４４を、エラー検出信号１４２の一番最後に発生した分の立ち下がりから、すなわち時刻ｔ５を起点として、時間Ｔ５だけ経過した時点の時刻ｔ６までＨレベルが継続する信号としたが、たとえばモデム装置によっては同図（ａ）に示したリンギング信号１１１の終了する時刻ｔ４以後のエラー検出信号１４２を無視して、その手前のエラー検出信号１４２を起点としてエラー検出アラーム信号１４４の立ち下がりを早める場合もあり得る。このような場合には、エラー検出アラームマスク信号１４６の立ち下がりは、時刻ｔ４のリンギング信号１１１の立ち下がる時刻から時間Ｔ５以上経過するものであってもよい。すなわち、このような場合の時間Ｔ６は、時間Ｔ５以上の値を採ればよく、時間Ｔ５に時間Ｔ４を必ずしも加える必要はない。
【図面の簡単な説明】
【００４９】
【図１】本発明の一実施例におけるＡＤＳＬ端末装置と局舎の間を結んだＡＤＳＬ通信システムの概要を表わしたシステム構成図である。
【図２】本実施例のＡＤＳＬ通信システムの加入者宅側の装置構成を表わしたブロック図である。
【図３】本実施例でリンギング信号およびその処理の様子を示したタイミング図である。
【図４】本実施例の制御部のリンギング信号に対する制御の様子を表わした流れ図である。
【図５】本発明の変形例におけるＡＤＳＬ通信システムの加入者宅側の装置構成を表わしたブロック図である。
【図６】ＰＳＴＮインタフェースを備えない従来のＡＤＳＬ通信システムの加入者宅側の装置構成を表わしたブロック図である。
【図７】リンギング信号が比較的軽微な場合のＡＤＳＬ回線上のノイズの発生状況の一例を示した波形図である。
【図８】リンギング信号によってＡＤＳＬ回線のリンクの切断を誘発するおそれのあるＡＤＳＬ回線上のノイズの発生状況の第１の例を示した波形図である。
【図９】リンギング信号によってＡＤＳＬ回線のリンクの切断を誘発するおそれのあるＡＤＳＬ回線上のノイズの発生状況の第２の例を示した波形図である。
【図１０】リンギング信号が立ち下がらない状態でトレーニングを行った場合の信号変化の状況を表わした波形図である。
【図１１】リンギング信号によってリンクダウンが生じる場合を示したタイミング図である。
【符号の説明】
【００５０】
１０５  加入者宅（ＨＯＭＥ）
１０６  加入者宅側スプリッタ
１０７  電話回線
１０８、１０８Ａ  ＡＴＵ−Ｒ
１１１  リンギング信号
１１２  ノイズ
１２１  制御部
１２３  フラッシュメモリ
１２６  ＡＤＳＬデジタル処理部
１２７  ＰＳＴＮインタフェース
１４２  エラー検出信号
１４４  エラー検出アラーム信号
１４５  リンギング検出信号
１４６  エラー検出アラームマスク信号
３０１  リング検出部
【図１】
2006148278.tif 000003
【図２】
2006148278.tif 000004
【図３】
2006148278.tif 000005
【図４】
2006148278.tif 000006
【図５】
2006148278.tif 000007
【図６】
2006148278.tif 000008
【図７】
2006148278.tif 000009
【図８】
2006148278.tif 000010
【図９】
2006148278.tif 000011
【図１０】
2006148278.tif 000012
【図１１】
2006148278.tif 000013